(57)【要約】【課題】切断長が短い場合であっても切断後の媒体の飛散を防止できるロータリーカッター装置を提供する。【解決手段】ロータリーカッター装置１００は、供給されるラベル連続体１を切断する回転刃２２と、回転刃２２により切断されたラベル連続体１（ラベル片２）が通過する排出路３０と、排出路３０中に設けられ、回転刃２２により切断されたラベル片２をガイドするガイド軸４０とを備える。切断長の長いラベル片２は、ガイド軸４０の上方を通過し、切断長の短いラベル片２は、ガイド軸４０に衝突するか、ガイド軸４０の下方を通過し、ラベル片２の飛散を防止できる。【選択図】図１
2014008544.tif 000002
【特許請求の範囲】
【請求項１】
供給される媒体を切断する回転刃と、
前記回転刃により切断された媒体が通過する排出路と、
前記排出路中に設けられ、前記回転刃により切断された媒体をガイドするガイド部と、
を備えるロータリーカッター装置。
【請求項２】
請求項１に記載のロータリーカッター装置において、
前記ガイド部は、前記回転刃により媒体が切断される位置よりも重力方向の下方に設けられていること、
を特徴とするロータリーカッター装置。
【請求項３】
請求項２に記載のロータリーカッター装置において、
前記ガイド部と前記回転刃との距離は、前記回転刃により切断された媒体が飛散しない切断長の下限値に設定されていること、
を特徴とするロータリーカッター装置。
【請求項４】
請求項１から請求項３までのいずれか１項に記載のロータリーカッター装置において、
前記ガイド部は、位置が変更可能に設けられていること、
を特徴とするロータリーカッター装置。
【発明の詳細な説明】
【技術分野】
【０００１】
本発明は、印刷用紙等の媒体に印刷を行った後等に媒体を切断して排出するロータリーカッター装置に関するものである。
【背景技術】
【０００２】
帯状の連続体や、この連続体に仮着されたラベル等の媒体に印刷を行うプリンタが従来から用いられている。また、これらのプリンタにより印刷された連続体等の媒体を枚様に切断する装置がプリンタに接続され、又は、プリンタに内蔵されて用いられている。
媒体を切断する手法としては、回転する回転刃を用いるロータリー式と、直進移動する可動刃を用いるギロチン式等がある。
しかし、媒体を切断したときに、切断された媒体が切断時の衝撃等によって飛散してしまい、まとめることができない場合があった。特に切断長が短い場合には、枚様に切断された媒体が小さいため、様々な方向に飛散してしまうおそれがあった。
そこで、特許文献１には、媒体を完全に切断せずに、一部を残して切断する装置が開示されている。
【先行技術文献】
【特許文献】
【０００３】
【特許文献１】特開２００２−３０７３７５号公報
【発明の概要】
【発明が解決しようとする課題】
【０００４】
しかし、特許文献１のように一部を残して切断する形態では、手作業により媒体を枚様に千切る等の作業が別途必要になるため、利用用途によっては、不都合な場合があった。
【０００５】
本発明の課題は、切断長が短い場合であっても切断後の媒体の飛散を防止できるロータリーカッター装置を提供することである。
【課題を解決するための手段】
【０００６】
本発明は、以下のような解決手段により、前記課題を解決する。
【０００７】
請求項１の発明は、供給される媒体を切断する回転刃と、前記回転刃により切断された媒体が通過する排出路と、前記排出路中に設けられ、前記回転刃により切断された媒体をガイドするガイド部と、を備えるロータリーカッター装置である。
【０００８】
請求項２の発明は、請求項１に記載のロータリーカッター装置において、前記ガイド部は、前記回転刃により媒体が切断される位置よりも重力方向の下方に設けられていること、を特徴とするロータリーカッター装置である。
【０００９】
請求項３の発明は、請求項２に記載のロータリーカッター装置において、前記ガイド部と前記回転刃との距離は、前記回転刃により切断された媒体が飛散しない切断長の下限値に設定されていること、を特徴とするロータリーカッター装置である。
【００１０】
請求項４の発明は、請求項１から請求項３までのいずれか１項に記載のロータリーカッター装置において、前記ガイド部は、位置が変更可能に設けられていること、を特徴とするロータリーカッター装置である。
【発明の効果】
【００１１】
本発明によれば、排出路にガイド部を設けたので、長さの短い（切断長の短い）切断後の媒体の飛散を防止できる。
【図面の簡単な説明】
【００１２】
【図１】本発明によるロータリーカッター装置の第１実施形態の概略を示す図である。
【図２】比較的長い切断長にラベル連続体１が切断されるときの状態を示す図である。
【図３】比較的短い切断長にラベル連続体１が切断されるときの状態を示す図である。
【発明を実施するための形態】
【００１３】
以下、本発明を実施するための最良の形態について図面等を参照して説明する。
【００１４】
（第１実施形態）
図１は、本発明によるロータリーカッター装置の第１実施形態の概略を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１５】
本実施形態のロータリーカッター装置１００は、付図示のプリンタに接続されて、プリンタから供給される媒体（本実施形態では、図２に示すラベル連続体１）を枚様に切断する装置である。
ロータリーカッター装置１００は、駆動ローラ１１と、従動ローラ１２と、固定刃２１と、回転刃２２と、排出路３０と、ガイド軸４０と、ラベル受け部５０と、を備えている。
【００１６】
駆動ローラ１１は、固定刃２１及び回転刃２２へラベル連続体１を搬送するように駆動するローラである。駆動ローラ１１は、不図示のモータに接続されており、このモータから駆動力を得て回転する。
【００１７】
従動ローラ１２は、と対向して設けられており、駆動ローラ１１との間でラベル連続体１を挟み、従動回転する。
【００１８】
固定刃２１は、筐体６０に対して固定されている。
【００１９】
回転刃２２は、不図示のモータから駆動力を得て回転して、固定刃２１との間に搬送されたラベル連続体１を所定ピッチで切断する。回転刃２２が回転してラベル連続体１を切断するタイミングは、不図示の制御部により制御されており、切断タイミングを変更することにより、切断長（切断ピッチ）を変更可能である。
【００２０】
排出路３０は、回転刃２２により切断されたラベル連続体１（以下、切断後のラベル連続体をラベル片２とする）が通過する空間である。排出路３０は、筐体６０により囲まれて形成されている。
【００２１】
ガイド軸４０は、排出路３０中に設けられ、回転刃２２により切断されたラベル片２をガイドする。また、ガイド軸４０は、回転刃２２によりラベル連続体１が切断される位置よりも重力方向の下方に設けられている。これにより、切断後のラベル片２が自重で下方に落下しながら排出されるときに、ガイド軸４０に衝突することができる。
【００２２】
ラベル受け部５０は、切断されたラベル片２を収容する部分である。
【００２３】
図２は、比較的長い切断長にラベル連続体１が切断されるときの状態を示す図である。
ガイド軸４０と回転刃２２との距離は、回転刃２２により切断されたラベル片２が飛散しない切断長（ラベル片２の搬送方向における長さ）の下限値に設定されている。切断されたラベル片２は、回転刃２２から力を受けるので、排出方向に押し出される。このとき、ラベル片２が小さい（切断長が短い）場合には、飛散しやすくなる。一方、ラベル片が大きい（切断長が長い）場合には、飛散しにくい。よって、所定の長さ以上の切断長になれば、ラベル片２の飛散は問題とならない。ここで、このラベル片２が飛散しない下限値をＡとする。
ガイド軸４０と回転刃２２との距離は、この下限値Ａに設定されている。
【００２４】
図２に示した状態は、ラベル連続体１の切断長（ラベル片２の長さ）がＡ１（Ａ１＞Ａ）の場合を示している。ラベル連続体１の切断長（ラベル片２の長さ）Ａ１がガイド軸４０と回転刃２２との距離（下限値）Ａよりも長いと、ガイド軸４０にラベル片２の先端が到達した後に切断が行われる。したがって、ラベル片２は、ガイド軸４０の上方を通過して、ラベル受け部５０へと収容される。
【００２５】
図３は、比較的短い切断長にラベル連続体１が切断されるときの状態を示す図である。
図３に示した状態は、ラベル連続体１の切断長（ラベル片２の長さ）がＡ２（Ａ２＜Ａ）の場合を示している。ラベル連続体１の切断長（ラベル片２の長さ）Ａ２がガイド軸４０と回転刃２２との距離（下限値）Ａよりも短いと、ガイド軸４０にラベル片２の先端が到達する前に切断が行われる。したがって、ラベル片２は、ガイド軸４０の上方を通過することができずに、ガイド軸４０に衝突する。上述したように、長さの短いラベル片２は、飛散しやすい。しかし、切断後にガイド軸４０に衝突した後、落下してラベル受け部５０に収容される。また、ガイド軸４０に衝突せずにガイド軸４０の下方を通過するようなラベルは、そのままラベル受け部５０に収容される。
【００２６】
以上説明したように、本実施形態によれば、排出路３０にガイド軸４０を設けたので、長さの短い（切断長の短い）ラベル片２の飛散を防止できる。
【００２７】
（変形形態）
以上説明した実施形態に限定されることなく、種々の変形や変更が可能であって、それらも本発明の範囲内である。
【００２８】
実施形態において、ロータリーカッター装置１００は、プリンタとは別体に形成されており、プリンタに接続されて用いられる例を挙げて説明した。これに限らず、例えば、ロータリーカッター装置は、プリンタ等に内蔵されていてもよい。
【００２９】
実施形態において、ガイド軸４０をガイド部として設けた例を挙げて説明した。これに限らず、例えば、板状の部材によりガイド部を形成してもよい。
【００３０】
実施形態において、ガイド軸４０は、筐体６０に固定されている例を挙げて説明した。これに限らず、例えば、ガイド部は、位置が変更可能に設けられていてもよい。こうすることにより、切断する媒体の種類によって、飛散しない切断長の下限値が変化することに対応できる。
【符号の説明】
【００３１】
１      ラベル連続体
２      ラベル片
１１    駆動ローラ
１２    従動ローラ
２１    固定刃
２２    回転刃
３０    排出路
４０    ガイド軸
５０    ラベル受け部
６０    筐体
１００  ロータリーカッター装置
Ａ      下限値
【図１】
2014008544.tif 000003
【図２】
2014008544.tif 000004
【図３】
2014008544.tif 000005